(57)【要約】【課題】スタイラスペンによる入力を簡単に行えるようにする。【解決手段】格納部は、スタイラスペンによる入力を受け付けて所定の処理を実行する情報処理装置に設けられ、スタイラスペンを脱着可能に格納し、入力制御部は、スタイラスペンの格納部に対する脱着を検出し、制御部は、入力制御部による検出結果に応じて、所定の処理を実行する。すなわち、例えば、制御部は、入力制御部により、スタイラスペンの格納部に対する脱着が検出されたことに応じて、表示部の輝度を制御する処理を実行する。本開示は、例えば、スタイラスペンを着脱可能なデジタルスチルカメラなどに適用できる。【選択図】図２
2012168993.tif 000002
【特許請求の範囲】
【請求項１】
スタイラスペンによる入力を受け付けて所定の処理を実行する情報処理装置において、
前記スタイラスペンを脱着可能に格納する格納部と、
前記スタイラスペンの前記格納部に対する脱着を検出する検出手段と、
前記検出手段による検出結果に応じて、所定の処理を実行する実行手段と
を備え、
前記実行手段は、前記検出手段により、前記スタイラスペンの前記格納部に対する脱着が検出されたことに応じて、表示部の輝度を制御する処理を実行する
情報処理装置。
【請求項２】
前記実行手段は、前記検出手段により、前記スタイラスペンが前記格納部に取り付けられたことが検出されたことに応じて、前記表示部の輝度を、第１の輝度から、前記第１の輝度よりも小さな第２の輝度に変更する処理を実行する
請求項１に記載の情報処理装置。
【請求項３】
前記実行手段は、前記検出手段により、前記スタイラスペンが前記格納部から取り外されたことが検出されたことに応じて、前記表示部の輝度を、第１の輝度から、前記第１の輝度よりも大きな第２の輝度に変更する処理を実行する
請求項１に記載の情報処理装置。
【請求項４】
前記実行手段は、前記検出手段により、前記スタイラスペンが前記格納部から取り外されたことが検出されたことに応じて、前記情報処理装置の電源を投入する
請求項２に記載の情報処理装置。
【請求項５】
前記実行手段は、前記検出手段により、前記スタイラスペンが前記格納部に取り付けられたことが検出されたことに応じて、前記情報処理装置の電源をオフにする
請求項３に記載の情報処理装置。
【請求項６】
前記実行手段は、前記検出手段により、前記スタイラスペンが前記格納部から取り外されたことが検出されたとき、前記スタイラスペンによる入力を可能にする
請求項１に記載の情報処理装置。
【請求項７】
前記実行手段は、前記検出手段により、前記スタイラスペンが前記格納部から取り外されたことが検出されたとき、前記スタイラスペンによる入力を受け付ける入力画面を表示し、前記入力画面に対する入力に応じた処理を実行する
請求項１に記載の情報処理装置。
【請求項８】
前記スタイラスペンを脱着可能に格納する格納部を備え、前記スタイラスペンによる入力を受け付けて所定の処理を実行する情報処理装置の情報処理方法において、
前記スタイラスペンの前記格納部に対する脱着を検出する検出ステップと、
前記検出ステップでの検出結果に応じて、所定の処理を実行する実行ステップと
を含み、
前記実行ステップは、前記検出ステップの処理により、前記スタイラスペンの前記格納部に対する脱着が検出されたことに応じて、表示部の輝度を制御する処理を実行する
情報処理方法。
【請求項９】
前記スタイラスペンを脱着可能に格納する格納部を備え、前記スタイラスペンによる入力を受け付けて所定の処理を実行する情報処理装置における情報処理を、コンピュータに実行させるプログラムにおいて、
前記スタイラスペンの前記格納部に対する脱着を検出する検出ステップと、
前記検出ステップでの検出結果に応じて、所定の処理を実行する実行ステップと
を含み、
前記実行ステップは、前記検出ステップの処理により、前記スタイラスペンの前記格納部に対する脱着が検出されたことに応じて、表示部の輝度を制御する処理を実行する
情報処理をコンピュータに実行させるプログラム。
【請求項１０】
コンピュータに実行させるプログラムが記録されている記録媒体において、請求項９に記載のプログラムが記録されている記録媒体。
【発明の詳細な説明】
【技術分野】
【０００１】
本開示は、情報処理装置および方法、プログラム、並びに記録媒体に関し、特に、例えばスタイラスペンを簡単に利用することができるようにする情報処理装置および方法、プログラム、並びに記録媒体に関する。
【背景技術】
【０００２】
PDA（Personal Digital Assistance）、デジタルビデオカメラ、デジタルスチルカメラなど、小型化が進む携帯端末装置に対する入力装置として、スタイラスペンと呼ばれるペン型の入力装置が存在する。
【０００３】
ユーザは、端末装置に設けられたタッチパネル等のペンによる直接接触で入力可能なインタフェースに対して、スタイラスペンの先端を接触させるように操作することで、例えばマウスのボタンを押したのと同様の操作をすることができる。
【０００４】
このようにスタイラスペンによれば、ペン先で入力を行うことができ、入力画面を、例えば指で入力する場合に比べ小さくすることができるので、小型化の端末装置の入力装置として利用されることが多くなってきている。
【発明の概要】
【発明が解決しようとする課題】
【０００５】
しかしながら、例えばスタイラスペンによる入力を行う際には、ユーザが、スタイラスペンによる入力が可能なツールを起動し、所定の入力画面を表示するための操作を、端末装置に行わなければならなかった。
【０００６】
本開示は、このような状況に鑑みてなされたものであり、例えば、スタイラスペンによる入力の開始を、簡単に行うことができるようにするものである。
【課題を解決するための手段】
【０００７】
本開示の一側面の情報処理装置は、スタイラスペンによる入力を受け付けて所定の処理を実行する情報処理装置であって、前記スタイラスペンを脱着可能に格納する格納部と、前記スタイラスペンの前記格納部に対する脱着を検出する検出手段と、前記検出手段による検出結果に応じて、所定の処理を実行する実行手段とを備え、前記実行手段は、前記検出手段により、前記スタイラスペンの前記格納部に対する脱着が検出されたことに応じて、表示部の輝度を制御する処理を実行する情報処理装置である。
【０００８】
前記実行手段は、前記検出手段により、前記スタイラスペンが前記格納部に取り付けられたことが検出されたことに応じて、前記表示部の輝度を、第１の輝度から、前記第１の輝度よりも小さな第２の輝度に変更する処理を実行することができる。
【０００９】
前記実行手段は、前記検出手段により、前記スタイラスペンが前記格納部から取り外されたことが検出されたことに応じて、前記表示部の輝度を、第１の輝度から、前記第１の輝度よりも大きな第２の輝度に変更する処理を実行することができる。
【００１０】
前記実行手段は、前記検出手段により、前記スタイラスペンが前記格納部から取り外されたことが検出されたことに応じて、前記情報処理装置の電源を投入することができる。
【００１１】
前記実行手段は、前記検出手段により、前記スタイラスペンが前記格納部に取り付けられたことが検出されたことに応じて、前記情報処理装置の電源をオフにすることができる。
【００１２】
前記実行手段は、前記検出手段により、前記スタイラスペンが前記格納部から取り外されたことが検出されたとき、前記スタイラスペンによる入力を可能にすることができる。
【００１３】
前記実行手段は、前記検出手段により、前記スタイラスペンが前記格納部から取り外されたことが検出されたとき、前記スタイラスペンによる入力を受け付ける入力画面を表示し、前記入力画面に対する入力に応じた処理を実行することができる。
【００１４】
本開示の一側面の情報処理方法、またはプログラムは、前記スタイラスペンを脱着可能に格納する格納部を備え、前記スタイラスペンによる入力を受け付けて所定の処理を実行する情報処理装置の情報処理方法、または前記スタイラスペンを脱着可能に格納する格納部を備え、前記スタイラスペンによる入力を受け付けて所定の処理を実行する情報処理装置における情報処理を、コンピュータに実行させるプログラムであって、前記スタイラスペンの前記格納部に対する脱着を検出する検出ステップと、前記検出ステップでの検出結果に応じて、所定の処理を実行する実行ステップとを含み、前記実行ステップは、前記検出ステップの処理により、前記スタイラスペンの前記格納部に対する脱着が検出されたことに応じて、表示部の輝度を制御する処理を実行する情報処理方法、または情報処理をコンピュータに実行させるプログラムである。
【００１５】
本開示の一側面によれば、前記スタイラスペンの前記格納部に対する脱着が検出されたことに応じて、表示部の輝度が制御される。
【発明の効果】
【００１６】
本開示によれば、スタイラスペンを簡単に利用することができる。
【図面の簡単な説明】
【００１７】
【図１】本開示を適用したデジタルスチルカメラ１の外観の構成例を示す図である。
【図２】図１のデジタルスチルカメラ１の内部の構成例を示すブロック図である。
【図３】図１のスイッチ１４の接続例を示す図である。
【図４】図１のデジタルスチルカメラ１の動作を説明するフローチャートである。
【図５】スタイラス入力画面の表示例を示す図である。
【図６】他のスタイラス入力画面の表示例を示す図である。
【図７】本開示を適用した携帯端末１０１の外観の構成例を示す図である。
【図８】他のスタイラス入力画面の表示例を示す図である。
【発明を実施するための形態】
【００１８】
以下に本開示の実施の形態を説明する。
【００１９】
図１は、本開示を適用したデジタルスチルカメラ１の外観の構成例を示している。このデジタルスチルカメラ１は、デジタルスチルカメラとしての通常の機能により風景を撮像し、その結果得られた画像を表示したり記録することができるとともに、画像編集等の操作において、スタイラスペン２による入力が可能である。スタイラスペン２は、デジタルスチルカメラ１に脱着可能に取り付けられており、デジタルスチルカメラ１は、そのスタイラスペン２の脱着に応じて、所定の処理を実行する機能を有している（後述）。
【００２０】
例えばタッチパネル等のペンによる直接接触で入力可能なＩ／Ｆで構成される表示部１１には、図示せぬレンズから取り込まれた画像やスタイラスペン２による入力可能な入力画面（以下、スタイラス入力画面と称する）等が表示される。
【００２１】
ボタン群１２は、電源ボタン１２Ａ、シャッタボタン１２Ｂ、十字キー１２Ｃ、およびメニューキー１２Ｄ等から構成されている。
【００２２】
格納部１３は、スタイラスペン２が脱着可能に装着することができるように構成されている。
【００２３】
スイッチ１４は、例えば格納部１３内に設けられ、スタイラスペン２に脱着状態に応じてオンオフされる。
【００２４】
図２は、デジタルスチルカメラ１の内部の構成例を示している。
【００２５】
入力制御部２１は、ボタン群１２およびスイッチ１４からの信号、並びに表示部１１に表示されたスタイラス入力画面等に対する操作に応じた信号を入力し、その入力に応じた信号を制御部２３に出力する（入力内容を制御部２３に通知する）。
【００２６】
例えば、入力制御部２１は、スイッチ１４がオンオフされているかによって、スタイラスペン２が格納部１３に装着されているか否かを検出し、その検出結果を制御部２３に通知する。
【００２７】
スイッチ１４は、例えば図３に示すように、スイッチ１４の一方の端子に、アースが取られている抵抗３１が接続され、他方の端子に、電源が取られている抵抗３２が接続され、スイッチ１４がオンされたときには、入力制御部２１への入力がlowになり、スイッチ１４がオフされているときには、入力制御部２１への入力がHighになるようになされており、入力制御部２１は、スイッチ１４からの信号の、そのオン／オフによる信号のHighまたはlowに基づいて、スタイラスペン２が格納部１３に装着されているか否かを検出する。
【００２８】
なおスイッチ１４は、機械的な接点のみに限定されず、例えばフォトレジスタ等のスイッチングでもよい。
【００２９】
図２に戻りカメラ機能部２２は、レンズ、CCD（Charged Coupled Device）などから構成される図示せぬカメラ部での撮像の結果得られた画像データに対して色空間変換、ホワイトバランス等の画像処理を施し、その結果得られた画像データを制御部２３に供給する。
【００３０】
制御部２３は、入力制御部２１から供給された信号（入力内容）に応じて所定の処理を実行する。
【００３１】
例えば制御部２３は、カメラ機能部２２から供給された画像データを、出力制御部２４を介して表示部１１に表示したり、またカメラ機能部２２から供給された画像データに対して所定の圧縮処理を施して記憶部２５に記憶させる。制御部２３はまた、記憶部２５に記憶されている圧縮画像データを伸張して出力制御部２４に供給し、表示部１１に表示させる。
【００３２】
さらに制御部２３は、例えば、入力制御部２１から、スタイラスペン２が格納部１３から取り外された旨の通知があった場合、スタイラスペン２での入力が可能な所定のツールを起動させ、出力制御部２４を制御して、所定のスタイラス入力画面を表示部１１に表示させる。
【００３３】
出力制御部２４は、制御部２３から供給された画像データ等を、表示部１１に表示する処理を制御する。
【００３４】
次に、スタイラスペン２の格納部１３に対する脱着に応じた入力制御部２１および制御部２３の動作を、図４のフローチャートを参照して説明する。
【００３５】
ステップＳ１において、制御部２３は、デジタルスチルカメラ１の電源がオンされた後の通常の処理を行う。
【００３６】
例えば制御部２３は、出力制御部２４を制御して、カメラ機能部２２により取り込まれた画像を表示部１１に表示させる処理を行う。その結果、表示部１１には、例えば図５Ａに示すような、いまカメラ機能部２２により取り込まれている画像が表示される。
【００３７】
ステップＳ２において、入力制御部２１は、スイッチ１４からの信号の有無に基づいて、スタイラスペン２が格納部１３から取り外されたか否かを判定し、取り外されたと判定するまで待機する。
【００３８】
ステップＳ２で、スタイラスペン２が格納部１３から取り外されたと判定した場合、入力制御部２１は、ステップＳ３に進み、その旨を、制御部２３に通知する。これにより、制御部２３は、ステップＳ１で開始した処理を終了し、スタイラスペン２による操作が可能な所定のツールを起動するとともに、スタイラスペン２による入力が可能なスタイラス入力画面を、表示部１１に表示する。なおスタイラス入力画面は、カメラ機能部２２により取り込まれた画像に重畳して表示することもできる。
【００３９】
このようにスタイラス入力画面が表示されると、ステップＳ４において、入力制御部２１は、スタイラス入力画面からの入力受付を開始する。
【００４０】
次に、ステップＳ５において、入力制御部２１は、ステップＳ３で表示されたスタイラス入力画面に対する入力操作があったか否かを判定し、入力操作があったと判定した場合、ステップＳ６に進み、入力操作の内容を制御部２３に通知する。制御部２３は、入力制御部２１からの通知に応じた処理を実行する。
【００４１】
ステップＳ５で、スタイラス入力画面に対する入力操作がないと判定された場合、ステップＳ７に進み、入力制御部２１は、スイッチ１４からの信号の有無に基づいて、スタイラスペン２が格納部１３に装着されたか否かを判定し、装着されていないと判定した場合、ステップＳ５に戻り、それ以降の処理を実行する。
【００４２】
ステップＳ７で、スタイラスペン２が格納部１３に装着されたと判定した場合、入力制御部２１は、ステップＳ８に進み、その旨を制御部２３に通知するとともに、ステップＳ３で表示されたスタイラス入力画面からの入力受付を終了する。制御部２３は、ステップＳ３で起動したツールを終了させる。
【００４３】
その後、処理はステップＳ１に戻り、それ以降の処理が繰り返し実行される。
【００４４】
次に、図５を参照して、スタイラス入力画面の具体例を説明する。
【００４５】
図５Ｂは、ステップＳ３でペイントツールが起動された場合に表示されるスタイラス入力画面５１の例を示している。ユーザは、スタイラスペン２により、このスタイラス入力画面５１上のアイコン５２を選択することにより、スタイラスペン２で、スタイラス入力画面５１の表示画面５４に表示されている画像上に所望の色を塗ることができ、またアイコン５３を選択することにより、スタイラスペン２で、表示画面５４に表示されている画像上に線図等を描くことができる。なお表示画像５４に表示される画像は、例えばカメラ機能部２２により撮影され、記憶部２５に記憶された画像である。
【００４６】
図５Ｃは、ステップＳ３で画像編集ツールが起動された場合に表示されるスタイラス入力画面６１の例を示している。
【００４７】
ユーザは、取り外したスタイラスペン２を用いて、スタイラス入力画面６１に表示されている画像の必要とする部分を枠６２で囲むようにすることにより、その部分の画像を切り抜くことができる。
【００４８】
以上のように、スタイラスペン２が格納部１３から取り外されたときに、所定のスタイラス入力画面が表示され、スタイラスペン２による入力を受け付けるようにしたので、ユーザは、スタイラス入力画面を、例えば他のボタンを操作するなどの作業を行うことなく表示することができ、スタイラスペン２をより簡単に利用することができる。
【００４９】
なお以上においては、スタイラスペン２の脱着に応じて、スタイラス入力画面が表示される場合を例として説明したが、例えばスタイラスペン２の脱着に応じてデジタルスチルカメラ１の電源がオンオフされるようにすることもできる。
【００５０】
例えば、デジタルスチルカメラ１の電源が入っておらず、図６Ａに示すように表示部１１には、何も表示されていない状態において、スタイラスペン２が格納部１３から取り外されたとき、デジタルスチルカメラ１の電源がオンされ、表示部１１には、図６Ｂに示すように、カメラ機能部２２から取り込まれた画像が表示されるようにすることができる。
【００５１】
なお図６Ｂの例では、同時に、スタイラスペン２で選択可能なメニューボタン７１Ａ，７１Ｂ，７１Ｃも表示されるようになされている。すなわちこの例の場合、スタイラスペン２を格納部１３から取り外すだけで、電源をオンすることができるとともに、同時に、スタイラスペン２での入力が可能となる。
【００５２】
また電源がオンされている状態において、スタイラスペン２が格納部１３に取り付けされたときは、電源がオフされるようにすることもできる。
【００５３】
スタイラスペン２が取り外されたときに行われる処理として、表示部１１の輝度を調整するようにすることもできる。例えば表示部１１にスタイラス入力画面が表示されている場合において、スタイラスペン２が格納部１３に装着されているときは、表示部１１の輝度を落としておき、スタイラスペン２が取り外されたときに、表示部１１の輝度を正常の輝度に戻すようにすることができる。すなわちスタイラスペン２が取り外されてスタイラスペン２による入力が可能なときにおいてのみ表示部１１の輝度を明るくすることで、消費電力を節約することができる。
【００５４】
また以上においては、デジタルスチルカメラ１を例として説明したが、スタイラスペンによる入力が可能であれば、それに限る必要はなく、デジタルビデオカメラ、携帯電話機、またはPDAなどの携帯端末装置においても利用することができる。
【００５５】
図７は、本開示を適用したPDA１０１の外観の構成例を示している。このPDA１０１は、例えば図４のフローチャートに示したように、スタイラスペン１０２の脱着に応じて所定の処理を実行する。
【００５６】
表示部１１１には、各種の入力画面（スタイラス入力画面を含む）や、データおよび画像が表示される。
【００５７】
格納部１１２は、スタイラスペン１０２が脱着可能に構成されている。
【００５８】
スイッチ１１３は、例えば格納部１１２内に設けられ、スタイラスペン１０２の脱着状態に応じてオンオフされる。
【００５９】
図８Ａは、図４のステップＳ３の処理に相当する処理でファイル管理ツールが起動された場合に表示されるスタイラス入力画面１２１の例を示している。ユーザは、取り外したスタイラスペン１０２で、所望のフォルダを示すアイコン１２２を、対応するチェックボックス１２３をチェックして選択することで、それに格納されているデータ等を表示させることができる。
【００６０】
図８Ｂは、ステップＳ３の処理に相当する処理でワープロツールが起動された場合に表示されるスタイラス入力画面１３１の例を示している。ユーザは、取り外したスタイラスペン１０２で、表示されたキーボード上の文字を選択することで、選択した文字等で文章を作成することができる。
【００６１】
図８Ｃは、ステップＳ３の処理に相当する処理で辞書ツールが立ち上げられた場合に表示されるスタイラス入力画面１４１の例を示している。ユーザは、取り外したスタイラスペン１０２で、入力部１４２に所定の文字を描いて入力することで、その文字の意味等を表示させることができる。
【００６２】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００６３】
またプログラム記録媒体は、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア、または、プログラムが一時的もしくは永続的に格納されるROMや、ハードディスクなどにより構成される。プログラム記録媒体へのプログラムの格納は、必要に応じてルータ、モデムなどのインタフェースを介して、ローカルエリアネットワーク、インターネット、デジタル衛星放送といった、有線または無線の通信媒体を利用して行われる。
【符号の説明】
【００６４】
１  デジタルスチルカメラ，  ２  スタイラスペン，  １１  表示部，  １２  ボタン群，  １３  格納部，  １４  スイッチ，  ２１  入力制御部,  ２２  カメラ機能部，  ２３  制御部，  ２４  出力制御部，  ２５  記憶部，  ５１  スタイラス入力画面，  ６１  スタイラス入力画面，  １０１  PDA，  １０２  スタイラスペン，  １１１  表示部，  １１２  格納部，  １１３  スイッチ，  １２１  スタイラス入力画面，  １３１  スタイラス入力画面，  １４１  スタイラス入力画面
【図１】
2012168993.tif 000003
【図２】
2012168993.tif 000004
【図３】
2012168993.tif 000005
【図４】
2012168993.tif 000006
【図５】
2012168993.tif 000007
【図６】
2012168993.tif 000008
【図７】
2012168993.tif 000009
【図８】
2012168993.tif 000010